(57)【要約】【課題】  画質だけが異なる同一の画像を同時に比較して見え方の違いを体感しながら使用者の好みの画質を設定する。【解決手段】  本発明の表示装置は、一の画面を元に異なる画質で模擬した画面を示す画像を複数作成し、模擬画面画像を一画面に複数描画する手段を備え、また、描画した複数の模擬画面のうちから使用者が選択した模擬画面に適用した画質設定に従って表示装置の実際の表示画面の画質設定を変更する手段を備える。【選択図】図９
2008176103.tif 000002
【特許請求の範囲】
【請求項１】
表示装置であって、
前記表示装置の表示画質を変更する手段と、
前記表示装置の表示画質の変更を実施した模擬画像を作成する手段と、
前記表示装置に前記模擬画像を複数表示する手段と、
前記複数表示した模擬画像のうちの一の画像の選択を受け付ける選択受付手段と、
選択された模擬画像の画質変更内容をもとに前記表示画質を変更する手段に対して画質を変更するよう指示する画質変更指示手段と、
を備えることを特徴とする表示装置。
【請求項２】
請求項１に記載の表示装置であって、
さらに、前記模擬画像を作成する手段が模擬することが可能な画質項目を予め記憶した記憶装置を備え、
前記模擬画像を作成する手段が模擬する画質項目は、前記記憶装置に記憶された前記画質項目のうちの２項目である、
ことを特徴とする表示装置。
【請求項３】
請求項２に記載の表示装置であって、
前記模擬画像を複数表示する手段は、前記２つの画質項目を、表示させる一の模擬画像ごとに組み合わせて作成した模擬画像を表示する、
ことを特徴とする表示装置。
【請求項４】
請求項３に記載の表示装置であって、
前記記憶装置に記憶された前記画質項目は、
輝度と、コントラストと、を含んで構成される、
ことを特徴とする表示装置。
【請求項５】
請求項１に記載の表示装置は、
車両に搭載されるナビゲーション装置を構成するディスプレイ装置である、
ことを特徴とする表示装置。
【請求項６】
車両に搭載されるナビゲーション装置であって、
前記車両内に取り付けられ、画像を表示するディスプレイ装置と、
前記ディスプレイ装置の表示画質を変更する手段と、
前記ディスプレイ装置の表示画質の変更を実施した模擬画像を作成する手段と、
前記ディスプレイ装置に前記模擬画像を複数表示する手段と、
前記複数表示した模擬画像のうちの一の画像の選択を受け付ける選択受付手段と、
選択された模擬画像の画質変更内容をもとに前記表示画質を変更する手段に対して画質を変更するよう指示する画質変更指示手段と、
を備えることを特徴とするナビゲーション装置。
【請求項７】
請求項６に記載のナビゲーション装置であって、
さらに、前記模擬画像を作成する手段が模擬することが可能な画質項目を予め記憶した記憶装置を備え、
前記模擬画像を作成する手段が模擬する画質項目は、前記記憶装置に記憶された前記画質項目のうちの２項目である、
ことを特徴とするナビゲーション装置。
【請求項８】
請求項７に記載のナビゲーション装置であって、
前記模擬画像を複数表示する手段は、前記２つの画質項目を、表示させる一の模擬画像ごとに組み合わせて作成した模擬画像を表示する、
ことを特徴とするナビゲーション装置。
【請求項９】
請求項８に記載のナビゲーション装置であって、
前記記憶装置に記憶された前記画質項目は、
輝度と、コントラストと、を含んで構成される、
ことを特徴とするナビゲーション装置。
【請求項１０】
車両に搭載されるナビゲーション装置の画質調整方法であって、
前記ナビゲーション装置は、
前記車両内に取り付けられ、画像を表示するディスプレイ装置と、
前記表示装置の表示画質を変更する手段と、
を備え、
前記ディスプレイ装置の表示画質の変更を実施した模擬画像を作成するステップと、
前記ディスプレイ装置に前記模擬画像を複数表示するステップと、
前記複数表示した模擬画像のうちの一の画像の選択を受け付ける選択受付ステップと、
選択された模擬画像の画質変更内容をもとに前記表示画質を変更する手段に対して画質を変更するよう指示する画質変更指示ステップと、
を実行することを特徴とする画質調整方法。
【発明の詳細な説明】
【技術分野】
【０００１】
本発明は、表示装置の画質設定に関するものである。
【背景技術】
【０００２】
通常の表示装置は、表示する画質に関する設定を変更する機能が備えられている。しかし、その機能は、使用者が設定の数値を増減させる操作を終えたその後に表示画像が変更され、そこに至って初めて使用者が設定変更の結果を目で見ることができるようになる。このような技術は、特許文献１などに示されている。
【０００３】
【特許文献１】特開２００３−２７０６１３号公報
【発明の開示】
【発明が解決しようとする課題】
【０００４】
しかし、上記の技術では、使用者が設定値の変更作業を行っている間は、その設定値の変更がもたらす影響を視覚的に知ることができないために、設定値の変更と確認を何度も繰り返し、試行錯誤することになってしまい、わずらわしい場合がある。
【０００５】
本発明は、上記課題を解決するべくなされたものであり、表示装置において、画質設定を容易にすることを目的とする。
【課題を解決するための手段】
【０００６】
上記課題を解決すべく、本発明の表示装置は、一の画面を元に異なる画質で描画した画面イメージを一画面に複数描画する手段を備え、また、描画した複数の画面イメージのうちから使用者が選択した画面に適用した画質に従って元の画面の画質設定を変更する手段を備える。
【０００７】
例えば、本発明の表示装置は、
前記表示装置の表示画質を変更する手段と、
前記表示装置の表示画質の変更を実施した模擬画像を作成する手段と、
前記表示装置に前記模擬画像を複数表示する手段と、
前記複数表示した模擬画像のうちの一の画像の選択を受け付ける選択受付手段と、
選択された模擬画像の画質変更内容をもとに前記表示画質を変更する手段に対して画質を変更するよう指示する画質変更指示手段と、
を備えることを特徴とする。
【０００８】
また、本発明は車両に搭載されるナビゲーション装置であって、
前記車両内に取り付けられ、画像を表示するディスプレイ装置と、
前記ディスプレイ装置の表示画質を変更する手段と、
前記ディスプレイ装置の表示画質の変更を実施した模擬画像を作成する手段と、
前記ディスプレイ装置に前記模擬画像を複数表示する手段と、
前記複数表示した模擬画像のうちの一の画像の選択を受け付ける選択受付手段と、
選択された模擬画像の画質変更内容をもとに前記表示画質を変更する手段に対して画質を変更するよう指示する画質変更指示手段と、
を備えることを特徴とするナビゲーション装置に該当する。
【０００９】
さらに、本発明の画質調整方法は、
車両に搭載されるナビゲーション装置の画質調整方法であって、
前記ナビゲーション装置は、
前記車両内に取り付けられ、画像を表示するディスプレイ装置と、
前記ディスプレイ装置の表示画質を変更する手段と、
を備え、
前記ディスプレイ装置の表示画質の変更を実施した模擬画像を作成するステップと、
前記ディスプレイ装置に前記模擬画像を複数表示するステップと、
前記複数表示した模擬画像のうちの一の画像の選択を受け付ける選択受付ステップと、
選択された模擬画像の画質変更内容をもとに前記表示画質を変更する手段に対して画質を変更するよう指示する画質変更指示ステップと、
を実行することを特徴とする。
【発明を実施するための最良の形態】
【００１０】
以下に、本発明の一実施形態について、図１〜図９を参照して説明する。
【００１１】
図１は、本発明の一実施形態が適用された車載用ナビゲーション装置１００の概略構成図である。図示するように、車載用ナビゲーション装置１００は、演算処理部１と、ディスプレイ部２と、記憶装置３と、音声入出力装置４と、入力装置５と、車輪速センサ６と、ジャイロセンサ７と、ＧＰＳ受信装置８と、テレビジョン放送受信装置９と、可搬記憶媒体読取装置１０と、ディスプレイ１１と、タッチ入力検出装置１２と、を備えている。
【００１２】
演算処理部１は、様々な処理を行う中心的ユニットである。例えば各種センサ装置（車輪速センサ６やジャイロセンサ７、ＧＰＳ受信装置８）から入力される情報を基にして現在地を検出する。また、得られた現在地情報に基づいて、表示に必要な地図データを記憶装置３から読み出す。また、読み出した地図データをグラフィックス展開し、そこに現在地を示すマークを重ねてディスプレイ部２へ表示する。また、記憶装置３に記憶されている地図データを用いて、ユーザから指示された出発地（現在地）と目的地とを結ぶ最適な経路（推奨経路）を探索する。また、音声入出力装置４やディスプレイ１１を用いてユーザを誘導する。
【００１３】
ディスプレイ部２は、演算処理部１で生成されたグラフィックス情報を表示するユニットであり、ディスプレイ１１と、タッチ入力検出装置１２とを備える。ディスプレイ１１は、ＣＲＴや液晶ディスプレイなどで構成される。
【００１４】
タッチ入力検出装置１２は、ディスプレイ１１の表示側面に搭載され、表示画面を透過するいわゆるタッチパネルである。タッチ入力検出装置１２は、ディスプレイ１１に表示された画像のＸＹ座標と対応したタッチ位置を特定し、タッチ位置を座標に変換して出力する。タッチ入力検出装置１２は、感圧式または静電式の入力検出素子などにより構成される。
【００１５】
記憶装置３は、ＨＤＤやＩＣカードといった書き換え可能な記憶媒体で構成されている。
もしくは、ＣＤ-ＲＯＭやＤＶＤ-ＲＯＭなどの読み取り専用の記憶媒体と、書き換え可能なＲＡＭなどの記憶媒体を組み合わせたものでもよい。この記憶媒体には、調整項目設定値３３０があらかじめ記憶されており、また、後述するように画質表示設定画面作成部１０３により実施されるステップＳ１１３の処理結果である結果調整後画面イメージ管理表４４０の内容を記憶するための記憶領域が割り当てられている。
【００１６】
図２は、調整項目設定値３３０の構成を示す図である。調整項目設定値３３０は、調整項目３３１と、調整を行う画質要素の調整範囲の上限と下限を示すレベル範囲３３２と、を含んでいる。
【００１７】
図３は、調整後画面イメージ管理表４４０の構成を示す図である。調整後画面イメージ管理表４４０は、後述する管理番号４４１と、調整後画面イメージデータを格納する調整後画面イメージ４４２と、該イメージに相応する実機の画質の設定値を示す実機画質設定値４４３と、を含んでいる。
【００１８】
図１に戻って説明する。音声入出力装置４は、演算処理部１で生成したユーザへのメッセージを音声信号に変換し出力する。また、ユーザが発した声を認識し演算処理部１にその内容を転送する処理を行う。
【００１９】
入力装置５は、ユーザからの指示を受け付けるユニットである。入力装置５は、スクロールキー、縮尺変更キーなどのハードスイッチ、ジョイスティックなどで構成される。
【００２０】
車輪速センサ６,ジャイロセンサ７およびＧＰＳ受信装置８は、車載用ナビゲーション装置１００で現在地（自車位置）を検出するために使用されるものである。車輪速センサ６は、車輪の円周と計測される車輪の回転数の積から距離を測定し、さらに対となる車輪の回転数の差から移動体が曲がった角度を計測する。ジャイロセンサ７は、光ファイバジャイロや振動ジャイロ等で構成され、移動体が回転した角度を検出するものである。ＧＰＳ受信装置８は、ＧＰＳ衛星からの信号を受信し移動体とＧＰＳ衛星間の距離と距離の変化率を３個以上の衛星に対して測定することで移動体の現在位置、進行速度および進行方位を測定する。
【００２１】
テレビジョン放送受信装置９、および可搬記憶媒体読取装置１０は、車載用ナビゲーション装置１００で表示させる外部からの映像情報を入力するために使用されるものである。
【００２２】
テレビジョン放送受信装置９は、一般のテレビジョン放送の電波などの搬送波を受信し、搬送波に乗せられた音声および映像信号を抽出する。つまり、テレビジョン放送受信装置９を備えたナビゲーション装置は、抽出した映像信号をディスプレイ１１を通じて出力し、音声信号を音声入出力装置４を通じて出力することで、いわゆるテレビジョン機能を提供できる。
【００２３】
可搬記憶媒体読取装置１０は、例えばビデオＤＶＤ−ＲＯＭなどの映像や音声を記録した媒体から音声および映像信号を読み取る。つまり、可搬記憶媒体読取装置１０を備えたナビゲーション装置は、読み取った映像信号をディスプレイ１１を通じて出力し、音声信号を音声入出力装置４を通じて出力することで、いわゆるＤＶＤプレーヤー機能を提供できる。
【００２４】
図４は、演算処理部１の機能ブロック図である。
【００２５】
図示するように、演算処理部１は、主制御部１０１と、画質設定制御部１０２と、画質設定表示画面作成部１０３と、画質設定部１０４と、描画制御部１０５とを有する。
【００２６】
画質設定制御部１０２は、入力装置５を介して受け付けた使用者からの要求に応じて要求内容の詳細の選択肢を表示し、入力装置５を介して使用者からの画質設定要求を受け付ける。例えば、使用者が変更を望む画質要素の選択肢を示し、使用者が指定した画質要素を制御対象として受け付ける。また、上記受け付けた内容によって使用者からの要求が明確になれば、それをもとに各処理部に処理を依頼する。
【００２７】
画質設定表示画面作成部１０３は、使用者が指定した画質設定条件を元に、これを模擬する画質設定値を算出して表示画面を作成し、描画制御部１０５に対してディスプレイ１１に表示するよう指示し、使用者により指定された画質設定値を受け付けて画質の設定値を特定する。
【００２８】
例えば、ディスプレイ１１で表示する画面の輝度を増減させるためには、本来はディスプレイ１１のバックライトの光量を増減させる必要がある。画質設定表示画面作成部１０３は、この場合には表示画像の明度を増減させるなど、輝度の増減を模擬する際に必要となる画質設定値を算出する。
【００２９】
画質設定部１０４は、画質設定表示画面作成部１０３により特定した設定値を受け取り、描画制御部１０５に対して設定を行う。
【００３０】
描画制御部１０５は、図５に記載のように、画質設定部１０４から設定された画質設定値に基づき、ディスプレイ１１の照明装置８１や液晶表示パネル８２などのディスプレイ１１を構成する装置に対して画質に関する制御信号を送出し、画質を制御する。
【００３１】
図６は、演算処理部１のハードウェア構成例を示す図である。
【００３２】
図示するように、演算処理部１は、各デバイス間をバス３２で接続した構成としてある。演算処理部１は、数値演算及び各デバイスを制御するといった様々な処理を実行するＣＰＵ(Central Processing Unit)２１と、記憶装置３から読み出した地図データ、演算データなどを格納するＲＡＭ(Random Access Memory)２２と、プログラムやデータを格納するＲＯＭ(Read Only Memory)２３と、メモリ間およびメモリと各デバイスとの間のデータ転送を実行するＤＭＡ（Direct Memory Access）２４と、グラフィックス描画を実行し且つ表示制御を行う描画コントローラ２５と、グラフィックスイメージデータを蓄えるＶＲＡＭ(Video Random Access Memory)２６と、イメージデータをＲＧＢ信号に変換するカラーパレット２７と、アナログ信号をデジタル信号に変換するＡ/Ｄ変換器２８と、シリアル信号をバスに同期したパラレル信号に変換するＳＣＩ(Serial Communication Interface)２９と、パラレル信号をバスに同期させてバス上にのせるＰＩＯ(Parallel Input/Output)３０と、パルス信号を積分するカウンタ３１と、を有する。
【００３３】
なお、上記の各構成要素および機能は、ＣＰＵ２１がＲＡＭ２２やＲＯＭ２３にロードしたプログラムを実行することにより達成される。
【００３４】
［動作の説明］次に、上記構成の車載用ナビゲーション装置１００の動作について説明する。
【００３５】
図７は、画質設定処理の流れを示すフロー図である。
【００３６】
主制御部１０１は、図７に示すように、使用者からタッチ入力検出装置１２を介して、画質設定の要求を受け付けると、本フローを開始する。
【００３７】
具体的には、本実施例においてはタッチ入力検出装置１２あるいは音声入出力装置４あるいは入力装置５により選択指示された画面表示設定の要求を主制御部１０１が検知し、画質設定制御部１０２に通知することにより、画質設定制御部１０２が本フローを開始する。
【００３８】
続いて、画質設定制御部１０２は、上記要求がなされた直前に表示していた画面表示内容を画面ショットとして記憶する（ステップＳ１１０）。
【００３９】
具体的には、例えば図８に示すような現在地の表示画面５０を表示中に上記画面表示設定要求を受け付けた場合、該画面５０を画像ファイルとして記憶装置３またはＲＡＭ２２に記憶させる。
【００４０】
次に、画質設定制御部１０２は、設定を行う対象となる画質に関する項目を描画制御部１０５に依頼してディスプレイ１１に表示させる（ステップＳ１１１）。
【００４１】
具体的には、画質設定制御部１０２は、調整項目設定値３３０に記憶されている調整項目３３１を読み込み、例えば輝度、コントラスト、色相、色飽和度（カラー）、黒レベル、輪郭補正（シャープネス）、などの調整項目をタッチ入力またはダイアル入力により選択が可能な形式（ボタンアイコンなど）で表示させる。
【００４２】
表示後、画質設定制御部１０２は、ステップＳ１１１で表示させた設定項目のうちから２つの異なる設定項目を選択する入力を受け付けて、画質表示設定画面作成部１０３に対して受け付けた２つの設定項目を引き渡す（ステップＳ１１２）。
【００４３】
具体的には、画質設定制御部１０２は、ステップＳ１１１でディスプレイ１１に表示させた調整項目３３１から２つの異なる項目の選択を受け付ける。例えば輝度、コントラスト、色相、色飽和度（カラー）、黒レベル、輪郭補正（シャープネス）、などの調整項目３３１のうち、タッチ入力検出装置１２、音声入出力装置４、入力装置５、などの入力手段によって使用者が選択入力した２項目をそれぞれＸ軸調整項目、Ｙ軸調整項目として受付ける。その後、受け付けた２項目を画質表示設定画面作成部１０３に引き渡す。
【００４４】
たとえば、使用者が、タッチ入力検出装置１２を用いて色相とコントラストを選択すると、色相をＸ軸調整項目、コントラストをＹ軸調整項目として受付けて、画質表示設定画面作成部１０３へ引数として引き渡す。
【００４５】
画質表示設定画面作成部１０３は、ステップＳ１１２で引き渡された２つの設定項目を受け取り、画質表示設定画面に表示させるための画面イメージを作成し、記憶装置３に記憶させる（ステップＳ１１３）。
【００４６】
具体的には、画質表示設定画面作成部１０３は、まず、ステップＳ１１０で記憶装置３またはＲＡＭ２２に記憶させた現在地の表示画面５０をＲＡＭ２２に読み出す。
【００４７】
次に、画質表示設定画面作成部１０３は、図２に記載した調整項目設定値３３０に従い、ステップＳ１１２で引き渡されたＸ軸調整項目（例えば色相）に対応した増減レベル３３２（−３０、３０）の範囲内（つまり、下限レベル−３０、上限レベル３０）でＸ座標の増加方向に所定のレベルずつ色相を緑色寄りに増加させた画面５０の縮小修正コピーを作成する。
【００４８】
同様に、Ｘ座標の減少方向に所定のレベルずつ色相を赤色寄りに増加させた画面５０の縮小コピーを作成することで、画質調整項目を増減させたイメージ画像を作成する。同様に、画面に表示させるＸ軸方向の類似画面数（例えば５枚）に合わせて段階的に所定のレベルを増減させ、類似画像を作成する。例えば、Ｘ軸方向に５画面表示させる場合には、マイナス２レベル、マイナス１レベル、修正なし、プラス１レベル、プラス２レベルの５画面をＸ軸方向に並べて表示させることができる。
【００４９】
もしくは、これにかわり、変化のレベルを大きくしてマイナス４レベル、マイナス２レベル、修正なし、プラス２レベル、プラス４レベルの５画面を並べて表示させるなど、変化のレベル調整を使用者が行えるようにしてもよい。
【００５０】
さらに同様に、画質表示設定画面作成部１０３は、今度はＹ軸調整項目（コントラスト）に応じて、同様に表示画面５０の縮小修正コピーを複数行、例えば３行、作成し、さらにＸ軸調整項目に従って作成した表示画面５０の縮小修正コピーごとにＹ軸調整項目に応じて縮小修正コピーを複数行、例えば３行、分作成する。
【００５１】
これにより、例えば、図９の画面５１に示すように、Ｘ軸方向に５列、Ｙ軸方向に３行、縮小コピーを含めて１５枚の縮小修正コピーを作成できたことになる。
【００５２】
画質表示設定画面作成部１０３は、作成した縮小修正画像のそれぞれの画像にそれぞれの画質設定値に対応する実機画質設定値４４３を関連付けて、図３に示す調整後画面イメージ管理表４４０に記憶させる。例えば、上記のように１５個作成した画像に順に１〜１５と付番し、それを管理番号４４１に、また画像データをシリアライズして調整後画面イメージ４４２に、またその実機画質設定値を実機画質設定値４４３に、記憶させる。
【００５３】
次に、画質設定表示画面作成部１０３は、ステップＳ１１３で作成した画面イメージを記憶装置３またはＲＡＭ２２から読み込み、使用者に示す画質設定表示画面を作画し、描画制御部１０５がこれをディスプレイ１１に表示させる（ステップＳ１１４）。
【００５４】
図９に示すように、画質設定表示画面は、画面描画領域５１、Ｘ軸設定説明領域５２、Ｙ軸設定説明領域５３、縮小修正画像描画領域５４とからなる。
【００５５】
画質設定表示画面作成部１０３は、Ｘ軸設定説明領域５２にＸ軸調整項目を、Ｙ軸設定説明領域５３にＹ軸調整項目を、また、縮小修正画像描画領域５４にはステップＳ１１３で作成した縮小修正画像を、Ｘ軸方向、Ｙ軸方向に表示させる領域のサイズと画面数に応じて縮小比率を変更した上で埋め込むことで、画質設定表示画面を作成する。
【００５６】
描画制御部１０５は、画質設定表示画面作成部１０３が作成した画質設定表示画面をディスプレイ１１に表示させる。
【００５７】
次に、画質設定受付部１０４は、使用者がタッチ入力検出装置１２または入力装置５を介して選択入力した画面イメージの選択情報を受け付けて、該イメージが持つ実機画質設定値を設定値４４３から取得する（ステップＳ１１５）。
【００５８】
また次に、画質設定受付部１０４は、ステップＳ１１５で取得した実機画質設定値を元に、描画制御部１０５に対して、以降の描画時の画質設定として、表示する際に表示画像に対して設定値分の補正をかけるよう設定を行う（ステップＳ１１６）。
【００５９】
具体的には、描画制御部１０５は、画質設定部１０４から設定された実機画質設定値に基づき、ディスプレイ１１の照明装置８１や液晶表示パネル８２などのディスプレイ１１を構成する装置に対して描画に関する制御信号を補正して描画動作を制御するように設定し、記憶が出来次第、画質設定処理を終了させる。そして、該画質設定処理を始める直前の状態から再度通常のナビゲーション機能の動作を再開し、描画制御部１０５はナビゲーション機能の画面を設定値に基づき補正して表示を再開する（ステップＳ１１７）。
【００６０】
本フローによれば、このように、使用者が設定値を意識せずに、画質変更後の表示イメージ（模擬結果）から選択入力することにより画質を設定できる。
【００６１】
なお、本実施形態では、現在地の表示画面５０を表示中に上記画面表示設定を行った場合を例としたが、テレビジョン受信装置９または可搬記憶媒体読取装置１０などから入力された表示画面を表示中に画面設定を行った場合にも、該表示画面を対象として同様の画質設定を行うことができる。
【００６２】
以上、本発明の一実施形態について説明した。
【００６３】
上記実施形態によれば、使用者は画質のみ異なる同一の画像を同時に比較して、見え方の違いを体感しながら使用者の望みの画質を設定することができる画質設定機能を利用することができるようになる。
【００６４】
本発明は、上記実施形態に制限されない。上記実施形態は、本発明の技術的思想の範囲内で様々な変形が可能である。
【００６５】
例えば、画質設定を一律で変更する場合を例にとって説明したが、これに制限されない。つまり、車両周囲あるいは車両室内の明度に合わせて画面表示の設定を行うナビゲーション装置などで、その画面表示の設定単位で上記画質設定の変更を有効にするようにしてもよい。たとえば、記憶装置３上に描画制御部１０５に設定する画質の設定値を記憶する部分で、記憶する設定値に関連付けて該設定値が有効となる条件を追加して記憶する。描画制御部１０５は、有効となる条件を満たしている場合のみ描画制御部１０５への設定値を有効にして、条件を満たさない場合には、設定値を無視して表示するようにしてもよい。
【００６６】
具体的には、夜間（例えば微灯点灯時又は前照灯点灯時）にディスプレイ１１の照度を夜間用に切り替えるナビゲーション装置の場合などにおいては、昼間時の表示画質と夜間の表示画質を変えたい場合がある。
【００６７】
その場合には、夜間時の表示画質の設定値を記憶する際に、夜間時のみ有効であるという条件を追加して記憶し、描画制御部１０５は、夜間時のみ該設定値を設定する、などの構成としてもよい。
【００６８】
また、別に、ステップＳ１１２にて、画質設定制御部１０２が、Ｘ軸調整項目とＹ軸調整項目について使用者の選択を受け付けて画質表示設定画面作成部１０３に受け渡すのではなく、画質表示設定画面作成部１０３がランダムに、あるいは固定的に、１または複数の調整項目３３１を選出して複数枚の画像を作成することとしてもよい。
【００６９】
また、さらに、ステップＳ１１２にて、画質設定制御部１０２が、Ｘ軸調整項目とＹ軸調整項目について使用者の選択を受け付けて画質表示設定画面作成部１０３に受けわたすのではなく、画質設定制御部１０２が、使用者に対して「くっきり見やすく表示する」、「明るく表示する」、「温かみをつけて表示する」、「疲れにくくする」、など、効果・効用に関する選択肢を表示させて、使用者が画質に関する用語に対して造詣が深くない場合でも設定を指示できるようにしてもよい。この場合、予め、選択肢とそれに該当する調整項目を対応付けたテーブル（図示せず）を記憶部３に記憶しておくことで、画質設定制御部１０２は、使用者が選択した選択肢から調整項目を特定することが可能となる。
【００７０】
なお、上記の実施形態では、本発明を車載用ナビゲーション装置の表示装置に適用した例について説明したが、本発明は車載用ナビゲーション装置以外の表示装置にも適用することができる。
【図面の簡単な説明】
【００７１】
【図１】図１は、本発明の一実施形態が適用された車載用ナビゲーション装置の概略構成図である。
【図２】図２は、記憶装置３に記憶されている調整項目設定値の構成例を示す図である。
【図３】図３は、記憶装置３に記憶されている調整後画面イメージ管理表の構成例を示す図である。
【図４】図４は、演算処理部１の機能構成を示す図である。
【図５】図５は、ディスプレイ１１が画像を表示する仕組みを示す図である。
【図６】図６は、演算処理部１のハードウェア構成を示す図である。
【図７】図７は、画質設定処理のフロー図である。
【図８】図８は、画質設定開始直前の画面表示例を示す図である。
【図９】図９は、画質設定表示画面の例を示す図である。
【符号の説明】
【００７２】
１００…車載用ナビゲーション装置、１…演算処理部、２…ディスプレイ部、３…記憶装置、４…音声出入力装置、５…入力装置、６…車輪速センサ、７…ジャイロセンサ、８…ＧＰＳ受信装置、９…テレビジョン放送受信装置、１０…可搬記憶媒体読取装置、１１…ディスプレイ、１２…タッチ入力検出装置、２１…ＣＰＵ、２２…ＲＡＭ、２３…ＲＯＭ、２４…ＤＭＡ、２５…描画コントローラ、２６…ＶＲＡＭ、２７…カラーパレット、２８…Ａ/Ｄ変換器、２９…ＳＣＩ、３０…ＰＩＯ、３１…カウンタ、３２…バス、５０…画面ショット、８１…照明装置、８２…液晶表示パネル、１０１…主制御部、１０２…画質設定制御部、１０３…画質設定表示画面作成部、１０４…画質設定部、１０５…描画制御部
【図１】
2008176103.tif 000003
【図２】
2008176103.tif 000004
【図３】
2008176103.tif 000005
【図４】
2008176103.tif 000006
【図５】
2008176103.tif 000007
【図６】
2008176103.tif 000008
【図７】
2008176103.tif 000009
【図８】
2008176103.tif 000010
【図９】
2008176103.tif 000011